(57)【要約】【課題】  本発明は、キートップの押圧位置にバラツキがあっても、確実にメタルコンタクトを押圧してスイッチ回路を切り換えることができるキースイッチおよびこれを用いた携帯電子機器を提供すること。【解決手段】  本発明のキースイッチ１のキートップ４には、操作部４ａの一端部側にスイッチ押圧部４ｂが形成されると共に、操作部４ａの他端部側に片持ち支持部４ｄが形成されて、キートップ４がキートップ支持部３に片持ち支持されて回動可能になっており、キートップ４の下部には、スイッチ回路部を形成した透明なスイッチシート５を介して表示部材１０が配設され、スイッチ回路部６は、スイッチ押圧部４ｂと対向する位置のスイッチシート５に形成されている。【選択図】        図１
2005228569.tif 000002
【特許請求の範囲】
【請求項１】
押圧操作可能な操作部を有する透明な複数のキートップと、この複数のキートップを支持可能な複数のキートップ支持部を有するカバーと、前記複数のキートップの下面側にそれぞれ形成したスイッチ回路部とを備え、前記キートップには、前記操作部の一端部側にスイッチ押圧部が形成されると共に、前記操作部の他端部側に片持ち支持部が形成され、前記キートップは、前記他端部側のキートップ支持部が前記キートップ支持部に片持ち支持されて前記一端部側の前記スイッチ押圧部が回動可能になっており、
前記キートップの下部には、前記スイッチ押圧部と対向する位置に前記スイッチ回路部を形成した透明なスイッチシートが配設され、このスイッチシートの下部には、前記スイッチ回路部のスイッチ回路が切り換わることで画像を形成可能な表示部材が配設され、
前記操作部を押圧操作して、前記片持ち支持部を支点として回動する前記スイッチ押圧部によって、前記スイッチ回路部のスイッチ回路が切り換わり、前記表示部材に画像が形成、または前記表示部に形成した前記画像を切換可能になっていることを特徴とするキースイッチ。
【請求項２】
前記キートップの前記操作部には、一端部側から外向きに前記スイッチ押圧部が突出形成されていると共に、他端部側の外側に前記片持ち支持部が形成されていることを特徴とする請求項１記載のキースイッチ。
【請求項３】
前記スイッチ回路部は、前記スイッチ押圧部の先端部寄りと対向する位置に配設した可動接点と、この可動接点と所定のギャップを有して前記スイッチシートに互いに絶縁して形成した一対の固定接点とを有し、前記キートップの前記操作部を押圧操作すると、前記可動接点が前記一対の固定接点が互いに導通して前記スイッチ回路が切り換わることを特徴とする請求項１または２記載のキースイッチ。
【請求項４】
前記可動接点は、弾性変形可能な金属板をドーム状に形成したメタルコンタクトからなり、このメタルコンタクトは、前記スイッチ押圧部の前記先端部寄りが押圧して反転することにより、前記一対の固定接点に接触して導通するようにしたことを特徴とする請求項３記載のキースイッチ。
【請求項５】
前記表示部材は、液晶表示装置からなり、前記キートップを押圧操作して前記スイッチ回路が切り換わると、前記液晶表示装置に画像が形成され、この画像が透明な前記キートップを介して視認可能となっていることを特徴とする請求項１乃至４のいずれかに記載のキースイッチ。
【請求項６】
メイン表示部と、請求項１乃至５のいずれかに記載のキースイッチからなる入力部とを備え、前記キートップを押圧操作すると、前記キートップは、前記他端部側の片持ち支持部を支点として一端部側の前記スイッチ押圧部が回動して前記スイッチ回路が切り換わり、前記表示部材に画像が形成、または、前記表示部材に形成した画像を切換可能になっていることを特徴とするキースイッチを用いた携帯電子機器。
【発明の詳細な説明】
【技術分野】
【０００１】
本発明は、携帯電話等の携帯電子機器に用いて好適なキースイッチおよびこれを用いた携帯電子機器に関する。
【背景技術】
【０００２】
従来のキースイッチおよびこれを用いた携帯電子機器を、特許文献１に基づいて説明すると、従来のキースイッチ５１は、図５に示すように、柱状で透明なキートップ５２を有し、このキートップ５２の操作部５２ａの側面からは、それぞれ突き出し部５２ｂ、５２ｃ、５２ｄ、５２ｅが突出形成されている。
前記突き出し部５２ｂ〜５２ｅは、図６に示すように、キートップ５２を隣り合って配置した場合に、隣り合う突き出し部５２ｂ、５２ｄ、または、５２ｃ、５２ｅ同志が互い違いになるように形成されている。
また、突き出し部５２ｂ〜５２ｅは、操作部５２ａの底面から所定寸法下方に突出形成され、下端面に後述するメタルコンタクト５４を押圧操作可能な凸部（図示せず）が形成されている。
【０００３】
また、キートップ５２の下部には、スイッチ回路基板５３が配設され、このスイッチ回路基板５３には、操作部５２ａと対向する位置に、操作部５２ａより若干大きな開口部５３ａが形成され、この開口部５３ａから、スイッチ回路基板５３下部の液晶表示装置（図示せず）が望めるようになっている。
また、スイッチ回路基板５３には、開口部５３ａの周囲の内壁近傍に、金属製でドーム形状をしたメタルコンタクト５４が、それぞれ２個ずつ合計８個配設されている。
【０００４】
また、メタルコンタクト５４の下部には、可動接点（図示せず）を有するコンタクトフィルム（図示せず）が配設され、可動接点と対向する下方側に固定接点（図示せず）が形成された基板（図示せず）が配設されてスイッチ回路基板５３が構成されている。
前記キートップ５２は、それぞれの突き出し部５２ｂ〜５２ｅの下端面に形成した凸部が、開口部５３ａ周囲の、互いに隣り合う一方側のメタルコンタクト５４のドーム状頂部に位置してスイッチ回路基板５３に対して略垂直状に支持されている。
【０００５】
また、スイッチ回路基板５３の下部には、液晶表示素子を有する液晶表示装置（図示せず）が配設れ、液晶表示素子に形成される画像を、開口部５３ａおよび操作部５２ａを介して認識可能になっている。
そして、操作部５２ａを操作者の指等で押圧操作して上昇位置にあるキートップ５２を降下させると、それぞれの突き出し部５２ｂ〜５２ｅによって、開口部５３ａ周囲の、互いに隣り合う一方側のメタルコンタクト５４のドーム状頂部が押圧される。
即ち、キートップ５２の押圧操作で、４個のメタルコンタクト５４の頂上部が押圧される。
【０００６】
このことにより、メタルコンタクト５４は、頂上部が反転して下部のコンタクトフィルムが押圧されて、可動接点が固定接点部に接してスイッチ回路が切り換わる。このスイッチ回路が切り換わることで、液晶表示素子に所望の画像が形成され、この画像が、開口部５３ａおよび操作部５２ａを透過して、操作者が認識できる。
また、キートップ５２の押圧を解除すると、メタルコンタクト５４がもっている復帰力でドーム形状の初期状態に自動復帰する。このことにより、キートップ５２が押し上げられれて初期状態の上昇位置に復帰する。
このようなキースイッチ５１は、携帯電話機等の携帯電子機器（図示せず）に用いられている。
【特許文献１】特開２００３−３０３５２６号公報
【発明の開示】
【発明が解決しようとする課題】
【０００７】
しかし、従来のキースイッチ５１は、操作部５２ａを押圧する位置がバラツクと、キートップ５２が垂直降下しないで斜めになって、４個のメタルコンタクト５４を同時に反転させることが難しく、４箇所のスイッチ回路を同時に切り換えできず、液晶表示素子に画像を形成できないおそれがあった。
本発明は前述のような課題を解決して、キートップの押圧位置にバラツキがあっても、確実にメタルコンタクトを押圧してスイッチ回路を切り換えることができるキースイッチおよびこれを用いた携帯電子機器を提供することを目的とする。
【課題を解決するための手段】
【０００８】
上記課題を解決するための第１の解決手段として本発明のキースイッチは、押圧操作可能な操作部を有する透明な複数のキートップと、この複数のキートップを支持可能な複数のキートップ支持部を有するカバーと、前記複数のキートップの下面側にそれぞれ形成したスイッチ回路部とを備え、前記キートップには、前記操作部の一端部側にスイッチ押圧部が形成されると共に、前記操作部の他端部側に片持ち支持部が形成され、前記キートップは、前記他端部側のキートップ支持部が前記キートップ支持部に片持ち支持されて前記一端部側の前記スイッチ押圧部が回動可能になっており、
前記キートップの下部には、前記スイッチ押圧部と対向する位置に前記スイッチ回路部を形成した透明なスイッチシートが配設され、このスイッチシートの下部には、前記スイッチ回路部のスイッチ回路が切り換わることで画像を形成可能な表示部材が配設され、
前記操作部を押圧操作して、前記片持ち支持部を支点として回動する前記スイッチ押圧部によって、前記スイッチ回路部のスイッチ回路が切り換わり、前記表示部材に画像が形成、または前記表示部に形成した前記画像を切換可能になっていることを特徴とする。
【０００９】
また、上記課題を解決するための第２の解決手段として、前記キートップの前記操作部には、一端部側から外向きに前記スイッチ押圧部が突出形成されていると共に、他端部側の外側に前記片持ち支持部が形成されていることを特徴とする。
【００１０】
また、上記課題を解決するための第３の解決手段として、前記スイッチ回路部は、前記スイッチ押圧部の先端部寄りと対向する位置に配設した可動接点と、この可動接点と所定のギャップを有して前記スイッチシートに互いに絶縁して形成した一対の固定接点とを有し、前記キートップの前記操作部を押圧操作すると、前記可動接点が前記一対の固定接点が互いに導通して前記スイッチ回路が切り換わることを特徴とする。
【００１１】
また、上記課題を解決するための第４の解決手段として、前記可動接点は、弾性変形可能な金属板をドーム状に形成したメタルコンタクトからなり、このメタルコンタクトは、前記スイッチ押圧部の前記先端部寄りが押圧して反転することにより、前記一対の固定接点に接触して導通するようにしたことを特徴とする。
【００１２】
また、上記課題を解決するための第５の解決手段として、前記表示部材は、液晶表示装置からなり、前記キートップを押圧操作して前記スイッチ回路が切り換わると、前記液晶表示装置に画像が形成され、この画像が透明な前記キートップを介して視認可能となっていることを特徴とする。
【００１３】
また、上記課題を解決するための第６の解決手段として本発明の携帯電子機器は、メイン表示部と、請求項１乃至５のいずれかに記載のキースイッチからなる入力部とを備え、前記キートップを押圧操作すると、前記キートップは、前記他端部側の片持ち支持部を支点として一端部側の前記スイッチ押圧部が回動して前記スイッチ回路が切り換わり、前記表示部材に画像が形成、または、前記表示部材に形成した画像を切換可能になっていることを特徴とする。
【発明の効果】
【００１４】
本発明のキースイッチのキートップの下部には、スイッチ押圧部と対向する位置にスイッチ回路部を形成した透明なスイッチシートが配設され、このスイッチシートの下部には、スイッチ回路部のスイッチ回路が切り換わることで画像を形成可能な表示部材が配設され、キートップの操作部を押圧操作して、片持ち支持部を支点として回動するスイッチ押圧部によって、スイッチ回路部のスイッチ回路が切り換わり、表示部材に画像が形成、または表示部に表示した画像を切換可能になっているので、片持ち支持されたキートップのスイッチ押圧部を確実に回動させて、スイッチ回路を確実に切り換えることができる。
そして、表示部材に画像を形成、または形成した画像を確実に切り換えて選択することができる。
【００１５】
また、キートップの操作部には、一端部側から外向きにスイッチ押圧部が突出形成されていると共に、他端部側の外側に片持ち支持部が形成されているので、操作部の表面積を大きくすることができ、表示部材に形成される画像を大きく表示できる。
【００１６】
また、スイッチ回路部は、スイッチ押圧部の先端部寄りと対向する位置に配設した可動接点と、この可動接点と所定のギャップを有してスイッチシートに互いに絶縁して形成した一対の固定接点とを有し、キートップの操作部を押圧操作すると、可動接点が一対の固定接点が互いに導通してスイッチ回路が切り換わるので、１個の可動接点で確実にスイッチ回路を切り換えでき、部品点数を少なくできる。
【００１７】
また、可動接点は、弾性変形可能な金属板をドーム状に形成したメタルコンタクトからなり、このメタルコンタクトは、スイッチ押圧部の先端部寄りが押圧して反転することにより、一対の固定接点に接触して導通するようにしたので、メタルコンタクトが直接固定接点に接触する。そのために、部品点数が少なくて確実なスイッチ回路の切換ができる。
【００１８】
また、表示部材は、液晶表示装置からなり、キートップを押圧操作してスイッチ回路が切り換わると、液晶表示装置に画像が形成され、この画像が透明なキートップを介して視認可能となっているので、表示部に形成される画像を、キートップを押圧して切り換えることで、画像選択を容易に行うことができる。
【００１９】
また、本発明のキースイッチを用いた携帯電子機器は、キートップを押圧操作すると、キートップは、他端部側の片持ち支持部を支点として一端部側のスイッチ押圧部が回動してスイッチ回路が切り換わり、表示部に画像が形成、または表示部に形成した画像を切換可能になっているので、キートップを介して見える画像の選択が容易な、操作性に優れた携帯電子機器を提供できる。
【発明を実施するための最良の形態】
【００２０】
以下、本発明に関するキースイッチおよびこれを用いた形態電子機器を
図１〜図４に基づいて説明する。図１は本発明のキ−スイッチの分解斜視図であり、図２はその側面図であり、図３は本発明に係わるスイッチ回路部を説明する要部断面図であり、図４は本発明のキースイッチを用いた携帯電子機器の概略図である。
【００２１】
まず、本発明のキースイッチ１は、上部に樹脂材料等からなり板状で、例えば後述する携帯電話１１の入力部１３に対応する大きさのカバー２が配設されている。前記カバー２には、後述する複数のキートップ４を支持可能なキートップ支持部３が所定のピッチ寸法で複数箇所に形成されている。
前記キートップ支持部３は、円形状の貫通孔３ａが形成され、カバー２の下面側で貫通孔３ａの図示奥側の一端部側には、所定の幅寸法と深さ寸法で逃げ溝３ｂが図示奥行き方向に横長状に形成されている。
また、カバー２の下面側で貫通孔３ａの図示手前側の他端部側には、角形の空洞部からなる支持部３ｃが、図示左右の縦長に形成されている。
【００２２】
また、カバー２の下部には、ポリカボネート等の透明な熱可塑性樹脂からなるキートップ４が配設され、このキートップ４には、カバー２の貫通孔３ａに嵌合可能な円形状の操作部４ａが形成されている。
前記円形状の操作部４ａには、カバー２の逃げ溝３ｂに位置可能なスイッチ押圧部４ｂが形成され、このスイッチ押圧部４ｂは、操作部４ａの図示奥側の一端部側から外向きに、所定長さで横長状に突出形成されている。
また、スイッチ押圧部４ｂの先端部寄りの下面には、図２に示すように、略円弧状の凸部４ｃが形成されている。
【００２３】
また、操作部４ａには、図示手前側の他端部側の外側に、図示左右方向に縦長で円柱状の片持ち支持部４ｄが形成されている。
そして、キートップ４は、片持ち支持部４ｄがカバー２の支持部３ｃに支持されると共に、スイッチ押圧部４ｂが逃げ溝３ｂ内に位置して、操作部４ａが貫通孔３ａに嵌合するようになっている。
前記貫通孔３ａに嵌合した操作部４ａは、上面がカバー２の上面と略同一面となって、片持ち支持部４ｄを支点として、下方側に回動可能になっている。
【００２４】
また、キートップ４の下部には、透明なＦＰＣ（フレキシブル基板）からなるスイッチシート５が配設され、このスイッチシート５には、スイッチ押圧部４ｂの凸部４ｃと対向する位置に、スイッチ回路部６が形成されている。
このスイッチ回路部６は、弾性変形可能なＳＵＳ等の金属板をドーム状に形成した可動接点であるメタルコンタクト７を有し、このメタルコンタクト７は、図３に示すように、上面が透明なフィルムシート８で覆われ、このフィルムシート８がスイッチシート５に接着されて、反転可能にスイッチシート５に支持されている。
【００２５】
また、メタルコンタクト７の内面のドーム状の天井面と所定のギャップを有して対向するスイッチシート５には、第１固定接点５ａが形成され、この第１固定接点５ａの外側で第１固定接点５ａと所定の間隔を有して互いに絶縁された略円環状の第２固定接点５ｂが印刷等により形成されて、スイッチ回路６が構成されている。
前記可動接点であるメタルコンタクト７は、外周部が第２固定接点５ｂ上に載置されて、上面がフィルムシート８で覆われて支持されている。
【００２６】
また、キートップ４の他端部側に形成した片持ち支持部４ｄと対向する位置のスイッチシート５には、片持ち支持部４ｄを支持可能な所定高さの突起部９、９が接着剤等で固着されている。前記突起部９、９に、カバー２の支持部３ｃに嵌合させた縦長の片持ち支持部４ｄの両端部側を載置することにより、キートップ４が片持ち支持されている。
このような支持部３ｃと突起部９とで片持ち支持部４ｄが片持ち支持されたキートップ４は、図２に示すように、スイッチ押圧部４ｂの凸部４ｃがメタルコンタクト７上に位置すると共に、操作部４ａが貫通孔３ａ内に位置している。
【００２７】
そして、操作部４ａを操作者の指等で押圧すると、片持ち支持部４ｄを支点としてスイッチ押圧部４ｂ側が降下して、凸部４ｃがメタルコンタクト７の頂上部を押圧する。
すると、メタルコンタクト７が反転して、ドーム状の頂上部の内面が第１固定接点５ａに接触して、第１、第２固定接点５ａ、５ｂが導通する。
即ち、キートップ４の操作部４ａを押圧操作すると、可動接点であるメタルコンタクト７が一対の第１、第２固定接点５ａ、５ｂが互いに導通する。
このことによりスイッチ回路部６のスイッチ回路（図示せず）が切り換わるようになっている。
また、キートップ４を押圧していた押圧力を解除すると、メタルコンタクト７は、自身の弾性力で元のドーム状に自動復帰して、キートップ４が上方の初期状態に押し上げられる。
【００２８】
また、スイッチシート５の下部には液晶表示装置からなる表示部材１０が配設され、キートップ４を押圧操作して、スイッチ回路が切り換わると、表示部材１０に、数字、あるいは記号等の画像が形成されるようになっている。この画像は、透明なキートップ４を介して上方から視認可能になっている。
このような本発明のキースイッチ１は、キートップ４の操作部４ａの押圧位置にバラツキがあっても、キートップ４を確実に回動させてスイッチ操作部４ｂの凸部４ｃでメタルコンタクト７を反転させてスイッチ回路を切り換えることができる。
そのために、操作部４ａの押圧位置に関係なく、スイッチ回路を確実に切り換えできる。
【００２９】
このような構成のキースイッチ１を用いた本発明の携帯電子機器を、例えば図４に示すような携帯電話１１で説明すると、携帯電話１１には、液晶表示装置等からなるメイン表示部１２と、複数のキートップ４を有するキースイッチ１からなる入力部１３とが形成されている。
前記入力部１３は、複数のキートップ支持部３にキートップ４をそれぞれ支持した状態のカバー２が、ケース（図示せず）に取り付けられている。
そして、例えば、図示右列で最上行に位置するキートップ４を押圧することで、電源のＯＮ／ＯＦＦ入力が可能になっており、中央列で最上行に位置するキートップ４を押圧することで、各種機能（例えば電話番号リストを開く等）の切換ができるようになっており、図示左列で最上行に位置するキートップ４を押圧することで、通話のＯＮ／ＯＦＦが可能になっている。
【００３０】
前記それぞれのキートップ４に対応した位置の表示部材１０には、それぞれの機能に対応した形状の画像が形成されるようになっており、表示部材１０に形成された画像は、透明なスイッチシート５、フィルムシート８およびキートップ４を介して上方から視認可能になっている。
また、２行目以降のキートップ４には、電源をＯＮした時に、例えば最初に表示される記号が、電話番号等を入力可能な０〜９のような数字が表示される。
【００３１】
前記電源をＯＮして、２行目以降のキートップ４に数字が表示された後、中央列で最上行に位置するキートップ４を押圧して、機能切換を行うことで、例えば数字に換えて、メール作成、メール送信、メール受信等に対応した画像に切り換えることができる。
また、キートップ４の操作部４ａにレンズ効果を持たせることで、操作部４ａから視認する画像を大きく表示して見易くすることも可能である。
【００３２】
このような携帯電話１１は、所望の機能に対応した画像が表示された部分のキートップ４を押圧操作することで、メイン表示部１２の表示を切り換えることができ、メイン表示部１２に表示した複数の機能をスクロールさせて、所望の機能を選択するよりも、確実な選択ができる。
また、本発明のキースイッチ１は、スイッチ押圧部４ｂおよび片持ち支持部４ｄを操作部４ａの外側に形成すると共に、メタルコンタクト７を操作部４ａが対向する部分の外側のスイッチシート５に配設したので、表示部材１０に形成した画像を表示部４ａの全面に対応した、大きな画像を表示でき、視認性を向上できる。
【図面の簡単な説明】
【００３３】
【図１】本発明のキ−スイッチの分解斜視図である。
【図２】図１の側面図である。
【図３】本発明に係わるスイッチ回路部を説明する要部断面図である。
【図４】本発明のキースイッチを用いた携帯電子機器の概略図である。
【図５】従来のキースイッチの分解斜視図である。
【図６】従来のキースイッチの上面図である。
【符号の説明】
【００３４】
１  キースイッチ
２  カバー
３  キートップ支持部
３ａ  貫通孔
３ｂ  逃げ溝
３ｃ  支持部
４  キートップ
４ａ  操作部
４ｂ  スイッチ押圧部
４ｃ  凸部
４ｄ  片持ち支持部
５  スイッチシート
５ａ  第１固定接点
５ｂ  第２固定接点
６  スイッチ回路部
７  メタルコンタクト
８  フィルムシート
９  突起部
１０  表示部材
１１  携帯電話
１２  メイーン表示部
１３  入力部
【図１】
2005228569.tif 000003
【図２】
2005228569.tif 000004
【図３】
2005228569.tif 000005
【図４】
2005228569.tif 000006
【図５】
2005228569.tif 000007
【図６】
2005228569.tif 000008